(57)【要約】【課題】  掘削時に撤去される端末管を薄肉化して無拡幅先受工法をコストダウンする。【解決手段】  外径がいずれも同径である先頭管１と中間管２と端末管３とを互いにネジで接続する構造である。先頭管１の後端のネジは雄ネジ１ａとし、中間管２の前端のネジは雄ネジ１ａと螺合できる雌ネジ２ａとし、中間管２の後端のネジは雄ネジ２ｂとし、端末管３の前端のネジは雄ネジ２ｂと螺合できる雌ネジ３ａとし、端末管３の後端のネジも前端と同様に雌ネジ３ｂとする。エンドキャップのネジは端末管３の雌ネジ３ｂに螺合できる雄ネジとする。端末管３の前後のネジを雌ネジとすることで、雄ネジと雌ネジをそれぞれ形成するために必要であった肉厚をおよそ２／３の厚さに形成でき、掘削時に撤去される端末管３の材料を削減して無拡幅先受工法をコストダウンできるようになる。【選択図】図１
0003134095.tif 000002
【実用新案登録請求の範囲】
【請求項１】
多数の打設管を切羽からトンネルの軸方向に対してやや外方へ打ち込み、打設管の後端から硬化材を地山に注入して切羽の前方を補強し、補強された地山を掘削するとともに打設管の一部を撤去してトンネルを構築する無拡幅先受工法に用いる打設管であって、打設管は外径がいずれも同径である先頭管と中間管と端末管とを互いにネジで接続する構造で、先頭管と中間管の後端のネジを雄ネジとし、中間管の前端と端末管の前後端のネジを雌ネジとし、端末管の後端に螺合される硬化材の注入孔を備えたエンドキャップのネジを雄ネジとし、端末管の内径を大きくして薄肉化したことを特徴とする、無拡幅先受工法に用いる打設管の接続構造。
【考案の詳細な説明】
【技術分野】
【０００１】
本考案は、無拡幅先受工法に用いる打設管の接続構造に関する。
【背景技術】
【０００２】
従来、多数の打設管を切羽からトンネルの軸方向に対してやや外方へ打ち込み、打設管の後端から硬化材を地山に注入して切羽の前方を補強し、補強された地山を掘削するとともに打設管の一部を撤去してトンネルを構築する無拡幅先受工法が知られている。この工法に用いる打設管は、地山に埋設される先頭管及び中間管と、補強後に地山の掘削とともに撤去される端末管とを互いにネジで接続するものが一般的である。
【０００３】
ところで、前記の打設管における各管のネジは、先頭管と中間管と端末管の後端のネジを雄ネジとし、中間管と端末管の前端のネジを雌ネジとし、端末管の後端には硬化材の注入孔を備えたエンドキャップが螺合される構造である。したがって、雄雌のネジを前後に形成するために肉厚の厚い管部材を用いる必要があり、特に端末管は掘削時に撤去されるものであるから、コストダウンが望まれていた。
【特許文献１】実開平５−２７１９５号公報
【考案の開示】
【考案が解決しようとする課題】
【０００４】
本考案が解決しようとする課題は、従来のこれらの問題点を解消し、掘削時に撤去される端末管を薄肉化して無拡幅先受工法をコストダウンできる無拡幅先受工法に用いる打設管の接続構造を提供することにある。
【課題を解決するための手段】
【０００５】
かかる課題を解決した本考案の構成は、
１）  多数の打設管を切羽からトンネルの軸方向に対してやや外方へ打ち込み、打設管の後端から硬化材を地山に注入して切羽の前方を補強し、補強された地山を掘削するとともに打設管の一部を撤去してトンネルを構築する無拡幅先受工法に用いる打設管であって、打設管は外径がいずれも同径である先頭管と中間管と端末管とを互いにネジで接続する構造で、先頭管と中間管の後端のネジを雄ネジとし、中間管の前端と端末管の前後端のネジを雌ネジとし、端末管の後端に螺合される端末管の後端に螺合される硬化材の注入孔を備えたエンドキャップのネジを雄ネジとし、端末管の内径を大きくして薄肉化したことを特徴とする、無拡幅先受工法に用いる打設管の接続構造
にある。
【考案の効果】
【０００６】
本考案によれば、端末管の前後のネジを雌ネジとしたから、従来のように雄ネジと雌ネジをそれぞれ形成するために必要であった肉厚をおよそ２／３の厚さに形成でき、掘削時に撤去される端末管の材料を削減して無拡幅先受工法をコストダウンできるようになる。打設管は相当本数用いられるから、コストダウンの効果は極めて大きいものである。
【考案を実施するための最良の形態】
【０００７】
本考案の端末管は、鋼管や塩化ビニル等の樹脂管が用いられる。以下、本考案の実施例を図面に基づいて具体的に説明する。
【実施例１】
【０００８】
図１は実施例の打設管の説明図、図２は実施例の打設管の断面図、図３実施例の無拡幅先受工法の説明図である。図中、１は先頭管、１ａは雄ネジ、１ｂは注入孔、２は中間管、２ａは雌ネジ、２ｂは雄ネジ、２ｃは注入孔、３は端末管、３ａ，３ｂは雌ネジ、４はエンドキャップ、４ａは雄ネジ、５は注入ホース、６は打込装置、Ｇは地山、Ｇａは切羽、Ｈはトンネルである。
【０００９】
本実施例の打設管は、図１に示すように先頭管１と中間管２と端末管３とを互いにネジで接続する構造である。先頭管１の後端のネジは雄ネジ１ａとし、中間管２の前端のネジは雄ネジ１ａと螺合できる雌ネジ２ａとし、中間管２の後端のネジは雄ネジ２ｂとし、端末管３の前端のネジは雄ネジ２ｂと螺合できる雌ネジ３ａとし、端末管３の後端のネジも前端と同様に雌ネジ３ｂとしている。エンドキャップ４のネジは端末管３の雌ネジ３ｂに螺合できる雄ネジ４ａとしている。
【００１０】
先頭管１と中間管２と端末管３の外径はいずれも６ｍｍである。先頭管１と中間管２の内径は１０２．３ｍｍ、肉厚は６．０ｍｍである。端末管３の内径は１０５．９ｍｍ、肉厚は４．２ｍｍである。長さはいずれも３ｍである。図２に示すように、端末管３の肉厚Ｔ１は中間管２の肉厚Ｔ２と比較しておよそ２／３の厚さに形成されている。
【００１１】
図３に示すように、先頭管１と２本の中間管２と端末管３を接続して打設管を構成し、これに掘削ビットを備えたロッド（図示せず）を挿入して打込装置６に装着し、後方から押力と回転力を与えて掘削ビットでトンネルＨの軸方向に対してやや外方へ削孔しながら地山Ｇに埋入する。
【００１２】
打ち込みが終了するとロッドを逆転させて掘削ビットを回収し、端末管３の後端に注入ホース５を取り付けたエンドキャップ４を螺合してウレタン系又はセメント系の硬化材を送り込み、硬化材を先頭管１の注入孔１ｂと中間管２の注入孔２ｃから地山Ｇに注入する。硬化材が硬化した後、掘削機（図示せず）で地山Ｇを掘削するとともに、切羽Ｇａから突出している端末管３も同時に撤去する。
【００１３】
このように、端末管３の前後のネジを雌ネジとしたから、従来技術のように雄ネジと雌ネジをそれぞれ形成するために必要であった肉厚をおよそ２／３の厚さに形成でき、掘削時に撤去される端末管３の材料を削減して無拡幅先受工法を大幅にコストダウンできるようになった。
【産業上の利用可能性】
【００１４】
本考案の打設管は無拡幅先受工法に用いられる。
【図面の簡単な説明】
【００１５】
【図１】実施例の打設管の説明図である。
【図２】実施例の打設管の断面図である。
【図３】実施例の無拡幅先受工法の説明図である。
【符号の説明】
【００１６】
１  先頭管
１ａ  雄ネジ
１ｂ  注入孔
２  中間管
２ａ  雌ネジ
２ｂ  雄ネジ
２ｃ  注入孔
３  端末管
３ａ，３ｂ  雌ネジ
４  エンドキャップ
４ａ  雄ネジ
５  注入ホース
６  打込装置
Ｇ  地山
Ｇａ  切羽
Ｈ  トンネル
【図１】
0003134095.tif 000003
【図２】
0003134095.tif 000004
【図３】
0003134095.tif 000005